(57)【要約】車両の内部屋根に取り付けられる収納装置１０を提供するものであり、パネル１２は車両の内部屋根に固定され、このパネルは、内部に形成され、かつ車両の内部屋根に取り付けられたライトが貫通して延在する開口を有し、カバー１６は、パネルに面と向かって隣接する閉位置と、１つ以上の収納区画へのアクセスを可能とする開位置との間で移動可能となっており、カバーは内部に形成された開口２０を有し、カバーが閉位置にあるとき、車両の内部屋根のライトはカバーの開口およびレンズを通して車両の内部を照明し、カバーが開位置にあるとき、ライトはカバーの１つ以上の収納区画を照明することが可能となっている。
2005518304.tif 000002
【特許請求の範囲】
【請求項１】
車両用の頭上収納装置であって、
車両の内部屋根と該内部屋根に固定されたヘッドライナーとの間に配置される第１パネルと、
前記第１パネルとの間に前記ヘッドライナーを挟み込んだ状態で前記第１パネルに面と向かって隣接して取り付けられる第２パネルと、
前記第２パネルに旋回自在に取り付けられるカバーであって、前記第２パネルに面した側に１つ以上の収納区画を有するようなカバーを備え、
前記カバーは、前記第２パネルに面と向かって隣接する閉位置と、前記１つ以上の収納区画へのアクセスを可能とする開位置との間で移動可能となっている、
ことを特徴とする頭上収納装置。
【請求項２】
前記カバーは、閉位置の前記カバーを解除可能に保持するラッチを備えていることを特徴とする、請求項１に記載の頭上収納装置。
【請求項３】
前記カバーは、略水平軸を中心にして移動可能となっていることを特徴とする、請求項１に記載の頭上収納装置。
【請求項４】
前記第２パネルは、車両の内部屋根に取り付けられたライトが貫通可能な第１開口を有していることを特徴とする、請求項１に記載の頭上収納装置。
【請求項５】
前記カバーは内部に形成された第２開口を有し、前記カバーは前記第２パネルに旋回自在に取り付けられ、前記カバーが閉位置にあるときに前記ライトが車両の内部を照明し、かつ前記カバーが開位置にあるときに前記ライトが前記１つ以上の収納区画を照明するように構成されていることを特徴とする、請求項４に記載の頭上収納装置。
【請求項６】
前記カバーは内部に形成された第２開口を有し、前記カバーは前記第２パネルに旋回自在に取り付けられ、前記ライトは、前記カバーが閉位置にあるときに前記第２開口内を貫通して延在していることを特徴とする、請求項４に記載の頭上収納装置。
【請求項７】
前記カバーは、前記第２開口内に配置された半透明レンズを備えていることを特徴とする、請求項５に記載の頭上収納装置。
【請求項８】
前記カバーおよび／または前記第２パネルは、そこから延在する１つ以上の突起を備え、前記突起は、各々物品をそこから吊り下げて支持するように構成されていることを特徴とする、請求項１に記載の頭上収納装置。
【請求項９】
前記カバーは、前記１つ以上の収納区画を食料および／または飲料クーラとして利用するために断熱材料を備えていることを特徴とする、請求項１に記載の頭上収納装置。
【請求項１０】
車両用の頭上収納装置であって、
車両の内部屋根に固定されるパネルと、
前記パネルに旋回自在に取り付けられるカバーであって、前記パネルに面する側に１つ以上の収納区画を有するようなカバーを備え、
前記内部屋根は前記車両の内部を照明するライトを備え、前記パネルは内部に形成された第１開口を有し、前記パネルは前記ライトが前記第１開口内を貫通するように前記車両の前記内部屋根に取り付けられ、
前記カバーは、前記パネルに面と向かって隣接する閉位置と、前記１つ以上の収納区画へのアクセスを可能とする開位置との間で移動可能となっており、前記カバーは内部に形成された第２開口を有し、前記ライトは、前記カバーが閉位置にあるときに前記第２開口を通して前記車両の内部を照明し、かつ前記ライトは、前記カバーが開位置にあるときに前記カバーの前記１つ以上の収納区画を照明するように構成されている、
ことを特徴とする頭上収納装置。
【請求項１１】
前記カバーは、略水平軸を中心にして移動可能となっていることを特徴とする、請求項１０に記載の頭上収納装置。
【請求項１２】
前記カバーは、前記第２開口内に配置された半透明レンズを備えていることを特徴とする、請求項１０に記載の頭上収納装置。
【請求項１３】
前記ライトは、前記カバーが閉位置にあるときに前記第２開口内を貫通して延在していることを特徴とする、請求項１０に記載の頭上収納装置。
【請求項１４】
前記カバーは、閉位置の前記カバーを解除可能に保持するラッチを備えていることを特徴とする、請求項１０に記載の頭上収納装置。
【請求項１５】
前記カバーおよび／または前記パネルは、そこから延在する１つ以上の突起を備え、前記突起は、各々物品をそこから吊り下げて支持するように構成されていることを特徴とする、請求項１０に記載の頭上収納装置。
【請求項１６】
前記カバーは、前記１つ以上の収納区画を食料および／または飲料クーラとして利用するために断熱材料を備えていることを特徴とする、請求項１０に記載の頭上収納装置。
【請求項１７】
車両用の頭上収納装置であって、
車両の内部屋根に固定されるパネルと、
前記パネルに取り付けられるライトと、
前記パネルに旋回自在に取り付けられるカバーであって、前記パネルに面する側に１つ以上の収納区画を有するようなカバーを備え、
前記カバーは、前記パネルに面と向かって隣接する閉位置と、前記１つ以上の収納区画へのアクセスを可能とする開位置との間で移動可能となっており、前記カバーは内部に形成された開口を有し、前記カバーは前記パネルに旋回自在に取り付けられ、前記ライトは、前記カバーが閉位置にあるときに前記開口を通して前記車両の内部を照明し、かつ前記ライトは、前記カバーが開位置にあるときに前記カバーの前記１つ以上の収納区画を照明するように構成されている、
ことを特徴とする頭上収納装置。
【請求項１８】
前記カバーは、略水平軸を中心にして移動可能となっていることを特徴とする、請求項１７に記載の頭上収納装置。
【請求項１９】
前記カバーは、前記第２開口内に配置された半透明レンズを備えていることを特徴とする、請求項１７に記載の頭上収納装置。
【請求項２０】
前記ライトは、前記カバーが閉位置にあるときに前記開口内を貫通して延在していることを特徴とする、請求項１７に記載の頭上収納装置。
【請求項２１】
ヘッドライナーが取り付けられる内部屋根、および前記内部屋根に取り付けられる頭上収納装置を備える車両であって、前記頭上収納装置は、
前記内部屋根と前記ヘッドライナーとの間に配置される第１パネルと、
前記第１パネルとの間に前記ヘッドライナーを挟み込んだ状態で前記第１パネルに面と向かって隣接して取り付けられる第２パネルと、
前記第２パネルに旋回自在に取り付けられるカバーであって、前記第２パネルに面した側に１つ以上の収納区画を有するようなカバーを備え、
前記カバーは、前記第２パネルに面と向かって隣接する閉位置と、前記１つ以上の収納区画へのアクセスを可能とする開位置との間で移動可能となっている、
ことを特徴とする車両。
【請求項２２】
前記第２パネルは、車両の内部屋根に取り付けられたライトが貫通可能な第１開口を有していることを特徴とする、請求項２１に記載の車両。
【請求項２３】
前記カバーは内部に形成された第２開口を有し、前記内部屋根に取り付けられたライトは、前記カバーが閉位置にあるときに前記車両の内部を照明し、かつ前記ライトは、前記カバーが開位置にあるときに前記カバーの前記１つ以上の収納区域を照明するように構成されていることを特徴とする、請求項２２に記載の車両。
【請求項２４】
前記カバーは内部に形成された第２開口を備え、前記ライトは、前記カバーが閉位置にあるときに前記第２開口を貫通して延在していることを特徴とする、請求項２２に記載の車両。
【請求項２５】
前記カバーは、前記第２開口内に配置された半透明レンズを備えていることを特徴とする、請求項２３に記載の車両。
【請求項２６】
ヘッドライナーが取り付けられる内部屋根、前記内部屋根に取り付けられるライト、および前記内部屋根に取り付けられる頭上収納装置を備える車両であって、前記頭上収納装置は、
前記内部屋根に取り付けられるパネルであって、前記パネルは内部に形成された第１開口を有し、前記ライトは前記第１開口内を貫通して延在しているようなパネルと、
前記パネルに旋回自在に取り付けられるカバーであって、前記パネルに面する側に１つ以上の収納区画を有するようなカバーを備え、
前記カバーは、前記パネルに面と向かって隣接する閉位置と、前記１つ以上の収納区画へのアクセスを可能とする開位置との間で移動可能となっており、前記カバーは内部に形成された第２開口を有し、前記ライトは、前記カバーが閉位置にあるときに前記第２開口を通して前記車両の内部を照明し、かつ前記ライトは、前記カバーが開位置にあるときに前記カバーの前記１つ以上の収納区画を照明するように構成されている、
ことを特徴とする車両。
【請求項２７】
前記カバーは、前記第２開口内に配置された半透明レンズを備えていることを特徴とする、請求項２６に記載の車両。
【請求項２８】
前記ライトは、前記カバーが閉位置にあるときに前記第２開口内を貫通して延在していることを特徴とする、請求項２６に記載の車両。
【請求項２９】
ヘッドライナーが取り付けられる内部屋根、および前記内部屋根に取り付けられる頭上収納装置を備える車両であって、前記頭上収納装置は、
車両の内部屋根に固定されるパネルと、
前記パネルに取り付けられるライトと、
前記パネルに旋回自在に取り付けられるカバーであって、前記パネルに面する側に１つ以上の収納区画を有するようなカバーを備え、
前記カバーは、前記パネルに面と向かって隣接する閉位置と、前記１つ以上の収納区画へのアクセスを可能とする開位置との間で移動可能となっており、前記カバーは内部に形成された開口を有し、前記ライトは、前記カバーが閉位置にあるときに前記開口を通して前記車両の内部を照明し、かつ前記ライトは、前記カバーが開位置にあるときに前記カバーの前記１つ以上の収納区画を照明するように構成されている、
ことを特徴とする車両。
【請求項３０】
前記カバーは、前記第２開口内に配置された半透明レンズを備えていることを特徴とする、請求項２９に記載の車両。
【請求項３１】
前記ライトは、前記カバーが閉位置にあるときに前記開口内を貫通して延在していることを特徴とする、請求項２９に記載の車両。
【発明の詳細な説明】
【技術分野】
【０００１】
本出願は、２００２年２月２１日出願の米国仮出願第６０／３５８，５４３号の利益を主張するものであり、この仮出願の開示内容を参照することによってその全体を本明細書の一部としている。
【０００２】
［発明の分野］
本発明は包括的に車両に関し、特に車両内で用いられる収納装置に関するものである。
【背景技術】
【０００３】
自動車は、一般的に何らかの荷物収納区画を有している。例えば、セダン型自動車には、通常、トランクが設けられている。２列以上のシートを有するスポーツ用多目的車、ミニバン、および他の車両は、通常、最後のシート列の背後に荷物収納領域を備えている。車両の荷物収納領域内に保持された物品は車両の運転中に動き回ることがあるが、これは望ましくない。また、スポーツ多目的車およびミニバンのような車両の場合、荷物収納空間はいくらか小さく制限されている。従って、乗客空間に突出させることなく、既存の荷物収納空間の効率と利用率を可能な限り大きくする技術が望まれている。さらに、車両の運転中は物品が車両の荷物収納領域内において動き回らないように拘束する技術も必要とされている。
【発明の開示】
【０００４】
上記の検討に基づいて、本発明は、車両の内部屋根に取り付けられる収納装置を提供するものである。本発明の実施形態によれば、頭上収納装置は、車両の内部屋根に直接的に（例えば、ネジおよび／または他の固定装置によってヘッドライナーを介して直接的に）固定されるパネルを備えている。このパネルは、車両の内部屋根に取り付けられた内部ライトが貫通可能な開口を有している。本発明の実施形態によれば、内部ライトはパネルに取り付けられてもよい。カバーはパネルに旋回自在に取り付けられ、そのカバーのパネルに面した側に１つ以上の収納区画を有している。
【０００５】
カバーは、略水平軸を中心にして、パネルに面と向かって隣接する閉位置と、１つ以上の収納区画へのアクセスが可能な開位置との間で移動可能となっている。このカバーは内部に形成された開口を有し、半透明レンズがその開口内に配置されている。従って、カバーが閉位置にあるとき、車両の内部屋根のライトはカバーの開口とレンズを通して車両の内部を照明することが可能となる。また、カバーが開位置に移動すると、ライトはカバーの１つ以上の収納区画を照明することが可能となっている。
【０００６】
本発明の実施形態によれば、頭上収納装置のカバーおよび／またはパネルは、そこから延在して物品（例えば、ショッピングバッグなど）を吊り下げて支持する１つ以上の突起を備えているとよい。
【０００７】
本発明の実施態様によれば、頭上収納装置のカバーおよび／またはパネルはカバーの１つ以上の区画を食料および／または飲料クーラとして利用するために、断熱材料を備えているとよい。
【０００８】
本発明の実施形態によれば、車両の内部屋根に取り付けられる頭上収納装置は、第１パネル、第２パネル、および第２パネルに旋回自在に固定されるカバーを備えている。第１パネルは、車両の内部屋根とその内部屋根に固定されたヘッドライナーとの間に配置されている。第２パネルは、ヘッドライナーをそれらの間に挟んだ状態で面と向かって隣接して第１パネルに取り付けられている。カバーは第２パネルに旋回自在に取り付けられ、第２パネルに面したカバーの側に１つ以上の収納区画を備えている。カバーは、略水平軸を中心にして、第２パネルに面と向かって隣接する閉位置と、１つ以上の収納区画へのアクセスが可能な開位置との間で移動可能となっている。
【０００９】
本発明の実施形態に基づく頭上収納装置によれば、物品を車両内に確実に収納できると共に、乗客空間に突出することなく荷物収納空間を追加的に設けることができる。また、本発明の実施形態による荷物収納装置は軽量であり、かつ新しい車両および既存の車両に容易に設置可能なように設計することができる。
【００１０】
明細書の一部である添付の図面とそこに例示する本発明の代表的な実施形態に基づいて、本発明を詳細に説明する。
【発明を実施するための最良の形態】
【００１１】
以下、本発明を好ましい実施形態を示す添付の図面に基づいてさらに詳細に説明するが、本発明は多くの異なった形態で実施することが可能であり、ここで説明する実施形態に制限されると解釈されるべきではない。むしろ、これらの実施形態はその開示内容を綿密かつ完全なものとし、当業者に本発明の範囲を十分に理解せしめることを意図してなされたものである。
【００１２】
図１は、本発明の実施形態による車両の内部屋根に取り付けられる頭上収納装置１０を示している。図示の頭上収納装置１０は、車両の内部屋根に直接固定されるパネル１２を備えている。例えば、頭上収納装置１０はヘッドライナーに直接配置され、内部屋根にヘッドライナー内に延在する固定具（例えば、ネジ、ボルト、リベットなど）を介して固定されているとよい。図示するパネル１２は、車両の内部屋根に取り付けられた内部ライトが貫通するように開口１４を有している。カバー１６は、パネル１２に旋回自在に取り付けられている。図示するように、このカバー１６は、パネル１２に面するカバー１６の側１６ａに１つ以上の収納区画１８を備えている。
【００１３】
カバー１６は、略水平軸Ａを中心にして、パネル１２に面と向かって隣接する閉位置と、１つ以上の収納区画１８へのアクセスが可能な開位置との間で移動可能となっている。図示するように、カバー１６は内部に形成された第２開口２０を有し、半透明レンズ２２がこの第２開口内に配置されている。従って、カバー１６が閉位置にあるとき、車両の内部屋根に取り付けられたライトは、カバー１６の開口２０およびレンズ２２を通して、車両の内部を照明することが可能となっている。また、カバー１６が開位置に移動すると、当該ライトは、カバー１６の１つ以上の収納区間１８を照明することが可能となっている。
【００１４】
カバー１６は、必ずしも略水平軸Ａを中心にして移動可能である必要はない。このカバー１６は、非水平軸を中心にして移動可能であってもよい。
【００１５】
図２および図３は、車両４０内に設置された図１の頭上収納装置１０を示している。車両４０において、図示する頭上収納装置１０は、後ドアまたはハッチ４２と隣接する車両４０の後方部分の内部屋根４４に取り付けられている。図２において、頭上収納装置１０のカバー１６は閉位置にある。図示するように、ライト３０は、カバー１６のレンズ２２および開口２０を通して、車両の内部を照明することが可能となっている。図３は、カバー１６が開状態にある図１の頭上収納装置を示している。図示するように、パネル１２の開口１４内を貫通するライト３０は、カバー１６の区画１８を照明することが可能である。本発明の実施形態によれば、カバー１６にレンズを設けずに、ライト３０をカバー１６の開口２０内に貫通させるように構成してもよい。
【００１６】
図２に示す実施形態において、カバー１６は、閉位置のカバー１６を解除可能に維持する１対のラッチ２６を備えている。種々の形式および構成のラッチを制限することなく用いることができる。また、本発明の実施形態に用いられるラッチは、そのラッチの不当な解除を防ぐための１つ以上のロック機構を備えているとよい。ラッチおよびそのラッチに用いられるロック機構は当業者にとってはよく知られているので、これ以上の説明を省略する。
【００１７】
図４に示す本発明の実施形態によれば、カバー１６および／またはパネル１２は、そこから延在する１つ以上の突起５０を備えていてもとよい。これらの突起５０は、物品（例えば、ショッピングバッグなど）をそこから吊り下げて支持するように構成されている。種々の形式および個数の突起５０を用いることができる。
【００１８】
図４に示す本発明の実施形態によれば、カバー１６および／またはパネル１２は、１つ以上の区画１８を食料または飲料クーラとして利用するために断熱材料６０を備えていてもよい。さらに、カバー１６および／またはパネル１２も断熱材料から形成されているとよい。種々の断熱材料を用いることができる。断熱材料はよく知られているので、これ以上の説明を省略する。
【００１９】
図５は、本発明の実施形態による車両の内部屋根に取り付けられる頭上収納装置１１０を示している。図示する頭上収納装置１１０は、第１パネル１１２、第２パネル１１４、およびカバー１１６を備えている。第１パネル１１２は、車両の内部屋根と、その内部屋根に固定されるかまたは車両内に支持されるヘッドライナーとの間に配置されている。第２パネル１１４は、車両のヘッドライナーをそれらの間に挟んだ状態で第１パネル１１２に面と向かって隣接して取り付けられている。従って、頭上収納装置１１０はヘッドライナーに支持されている。頭上収納装置１１０の寸法とそこに収納される物品の可搬重量は、ヘッドライナーの形式と強度に依存している。
【００２０】
図示の実施形態において、第１パネル１１２は、第２パネル１１４から延在するタブ１１５を受け入れるように構成された複数の開口１１３を有している。開口１１３にタブ１１５を挿通することによって、タブ１１５は、第１パネル１１２に面と向かって隣接して配置された第２パネルを維持するように構成されている。しかし、第１パネル１１２に対する第２パネル１１４の固定方法は、種々の手段（例えば、ネジ、ボルト、リベットなど）を用いて行なうことが可能であり、実施形態に示すタブ１１５と開口１１３に制限されるものではない。
【００２１】
カバー１１６は、第２パネル１１４に旋回自在に取り付けられている。この第２パネル１１４と面するカバー１１６の側１１６ａには、１つ以上の収納区画１１８が設けられている。前述したように、カバー１１６は、略水平軸Ａを中心にして第２パネル１１４に面と向かって隣接する閉位置と、１つ以上の収納区画１１８へのアクセスを可能とする開位置との間で移動可能となっている。
【００２２】
図５に示す実施形態において、カバー１１６は開口を有している。図１〜図３に関連して述べたように、内部屋根のライトは、この開口内に貫通させて車両の内部を照明することが可能となっている。
【００２３】
本発明による頭上収納装置は、種々の形態および構成を有することができ、例示した実施形態に制限されるものではない。例えば、例示した種々の実施形態のパネル１２，１１２，１１４、カバー１６，１１６、および区画１８，１１８は種々の形態、寸法および構成を有することができる。さらに、本発明による頭上収納装置は、車両内の種々の頭上位置に配置することができ、また種々の型式の車両内に設けることができる。例えば、多重頭上収納装置を用いることもできる。
【００２４】
本発明による頭上収納装置は、前述の実施形態を種々組合せて構成することもできる。すなわち、本発明は例示した具体的な実施形態に制限されるものではない。
【００２５】
前述の実施形態は単なる例示であって、本発明がそれらに制限されると解釈されるべきではない。すなわち、本発明のいくつかの具体的な実施形態について説明したが、当業者には容易に理解されるように、それらの実施形態に基づいて多くの変形形態を本発明の新規の示唆および利点から逸脱することなくなすことが可能である。従って、本発明は請求項とそこに含まれる等価物によって定義されるとみなされるべきである。
【図面の簡単な説明】
【００２６】
【図１】本発明の実施形態による頭上収納装置を示す分解斜視図である。
【図２】車両に設置され、カバーが閉位置の状態にある図１の頭上収納装置を示す斜視図である。
【図３】車両に設置され、カバーが開位置の状態にある図１の頭上収納装置を示す斜視図である。
【図４】本発明のさらに他の実施形態による頭上収納装置を示す斜視図である。
【図５】本発明の実施形態による頭上収納装置を示す分解斜視図である。
【図１】
2005518304.tif 000003
【図２】
2005518304.tif 000004
【図３】
2005518304.tif 000005
【図４】
2005518304.tif 000006
【図５】
2005518304.tif 000007
【国際調査報告】
2005518304.tif 000008
2005518304.tif 000009